【事件の表示】
　特願２００５−３３２６９２「ラップトップパーソナルコンピュータ」拒絶査定不服審判事件〔平成１８年　３月　９日出願公開、特開２００６−　６５８９０〕について、次のとおり審決する。
【結　論】
　本件審判の請求は、成り立たない。
【理　由】
Ｉ．手続きの経緯
　本願は、平成３年１２月１６日（パリ条約による優先権主張１９９０年１２月１８日、米国）を国際出願日とする特願平４−５０３１９０号の一部を平成９年２月２０日に分割して新たな特許出願とした特願平０９−５１１４７号の一部をさらに平成１５年１月２３日に分割して新たな特許出願とした特願２００３−１４３９６号の一部をさらに平成１７年１１月１７日に分割して新たな特許出願としたものであって、平成１８年１１月２９日付けで拒絶の査定を受け、この査定を不服として、平成１９年３月５日付けで拒絶査定不服審判の請求がなされるとともに、同年４月４日付けで手続補正がなされたものである。
　
ＩＩ．本願発明について
（１）本願発明
　本件出願の請求項１に係る発明は、平成１９年４月４日付けの手続補正書の特許請求の範囲の請求項１に記載された事項により特定される、以下のとおりのものである。（以下、「本願発明」という。）
　
「【請求項１】
　ラップトップパーソナルコンピュータであって、
　主ハウジングと、
　表示画面を有する表示装置ハウジングにして、結合手段によって前記主ハウジングの一方の端部近くに回動可能に結合されており、前記表示画面はその下縁が前記結合手段にほぼ隣接して配設されている、表示装置ハウジングと、
　ラップトップパーソナルコンピュータに対するデータの入力用の、少なくとも最上列キーおよび最下列キーを含むキーボードにして、その最上列キーがデータを表示する前記表示画面の前記下縁にほぼ隣接して位置させられて、前記主ハウジング上に配置されたキーボードと、
　前記キーボードの前記最下列キーに隣接して、通常の使用状態において前記キーボードよりもユーザー寄りに前記主ハウジング上に位置された、ユーザーの手のひらを支えるに十分な大きさでもって障害物のないほぼ平らな面で構成され、前記ユーザ寄りから前記最下列キーの方へと前後に少なくとも６５mmの長さを有している、手のひら支え部分と、
　カーソルの移動を、同時に二方向において制御することができるカーソル制御装置にして、前記表示画面上でカーソルを移動させる１つのカーソル位置決め装置を含み、且つ、前記表示画面上に表示されている対象物を、それにカーソルを位置させた状態で選択するためのスイッチ手段を含み、さらに、前記スイッチ手段の起動用であって前記手のひら支え部分に位置した、第１ボタン及び第２ボタンの２つのボタン手段を含んでいるカーソル制御装置と
を備え、
　前記カーソル制御装置は、前記手のひら支え部分に一体的にその左右中央付近で前記キーボードの前記最下列キーに隣接して位置させられていて、左手および右手を前記手のひら支え部分の対応する左側部分および右側部分でそれぞれ支持させたユーザが当該左手および右手の何れからも操作可能であるように配置されており、
　前記カーソル位置決め装置と前記第１ボタン及び第２ボタンは、前記手のひら支え部分にあって、上記キーボードとの位置関係も含めて次の位置関係に配置をされている、すなわち、（ａ）カーソル操作を両手で行う場合には、ユーザの両手を前記手のひら支え部分に載せ且つ上記キーボードのホームポジションキー上に両手の親指以外の指を置いたままで、一方の親指を使って上記カーソル位置決め装置を制御して上記表示画面上に表示された画像上で上記移動自在なカーソルを位置づけつつ、他方の親指で上記第１ボタンを操作することができる位置関係に、且つ、（ｂ）カーソル操作を片手で行う場合には、他方の手の親指以外の指はそれのホームポジションキー上においたままで、上記片手は、前記手のひら支え部分の左側部分および右側部分の対応する一方で支持させつつ、上記カーソル位置決め装置の付近に、上記ホームポジションキーから指を離して置き、その上記片手の第１の指を使って、上記カーソル位置決め装置を制御して上記表示画面上に表示された画像上で上記移動自在なカーソルを位置づけつつ、上記片手の第２の指を使って上記第２ボタンを操作することができる位置関係に、配置をされており、
　前記表示装置ハウジングは、閉じ位置では、前記キーボードと前記手のひら支え部分とをカバーするものであり、前記主ハウジングの上面の殆どは前記キーボードおよび前記手の平支え部分によって占められて、前記主ハウジングの上面は前記表示装置ハウジングの背後には殆ど延在しておらず、
　前記表示装置ハウジングの閉じ位置では、前記主ハウジングの手前の縁と前記表示装置ハウジングの手前の縁とは相互に並んでおり、
　前記手のひら支え部分は、その幅の全体にわたり且つその前後の奥行きの全体にわたり平らな面とされている
ことを特徴とするラップトップパーソナルコンピュータ。」
　
（２）刊行物の記載
（ｉ）原査定の拒絶の理由に引用された、ＡＳＣＩＩ　ＥＸＰＲＥＳＳ、「月刊アスキー」１９８５年８月号（株式会社アスキー、昭和６０年８月１日発行、第９巻、第８号、ｐ．１３０〜１３３。以下、「刊行物１」という。）には、図面と共に以下の事項が記載されている。
　
「ＷＳ−１の概観はいままでのハンドヘルドコンピュータからみるとかなり異質である．フタを閉じた状態ではちょうど航空機の翼を切り出したようにみえる．真っ白なカラーリングが施してあるのでよけいにそうしたイメージが強い．
　液晶表示部となっているフタをあけてみるとまず気付くのは手前が空いており，その向うにキーボードがあることである．一見奇妙な配置に見えるが，手前の部分がアームレストの役割をしているのである．ハンドヘルドというとキーボードの手前部分がなく手首が浮いた状態になり，長時間の使用には耐えないものがあったがこのアームレストの効果は絶大であった．
　しかし，アームレストの部分が取れるような大きさであることは，可搬性という点からみると少々問題がある．ためしに３日程ＷＳ−１を担いで通勤してみた。編集者が脆弱ということもあるが，担いで歩き回るにしては少少重いようである．
　キーボードはアスキー，ＡＰＬ配列を切り換えて使用できるようになっており，フルサイズのシンドリカル・キーである．キートップにはアルファベット数字の他にＡＰＬ特有の記号などが刻印されている．キーにはアスキー，ＡＰＬ，力ナ，テンキーの４つのモードがあり，右上のキーで選択する。アスキーモードのときに有効な文字はオレンジ色、”ＡＬＴ”キーを押した時に出力される重ね打ち文字は赤に色分けされ見やすいものとなっている．また，テンキーモードのときに使用されるキーは他のキーと色を変えてある．
　液晶表示部はフタの部分に付いており，表示部下には８つのファンクションキーがある．さらに右には液晶のコントラスト調整用のダイアル，左にはスピーカが付いている．
　各種インターフェイスは、本体背面，およびサイドにある。」（第１３０頁左欄第１０行ないし中欄第２０行。） 
　
「ＷＳ‐１の標準の外部記憶はこのマイクロカセットである．カセットドライブ自体のコントロールはすべてソフトウェアから行い，早送りや巻戻し等のボタンはない．このマイクロカセットは４トラック２チャンネルとなっており，片チャンネルをデータの記録に，もう１つのチャンネルを音声の録音に使用している．このほかにモデムからの信号をカセットに録音または再生音をモデムへ転送できるので，通話内容を録音したり，自動着信機能を使って音声メッセージを流すこともできる．つまり電話機のように使うこともできるわけである．現在のところモデムは認可申請中であり，回線に接続する実験は行えなかった．しかし使い方によっては「留守番電話」にもなるという通信機能を持ったハンドヘルドコンピュータはおそらく初めてであろう．
 　液晶表示部は４８０×２００ドットで６×８ドットの文字パターンを８０字２５行表示することができる．内部的にはビットマップディスプレイとなっており，画面上にグラフィックスを表示することもできる．」（第１３１頁中欄第７行ないし右欄第５行。）
　
「液晶表示部は４８０×２００のビットマップディスプレイとなっている．下部に見えるのはファンクションキーである．」（第１３１頁右上図面下の説明文の記載。） 
　
「キーボード部分は，手前にアームレストを取った余裕のあるもの．」（第１３１頁下図面右横の説明文の記載。） 
　
　第１３０頁上図、下図には、「フタが、結合手段によって本体の一方の端部近くに回動可能に結合されていること」、「液晶表示部はその下縁がファンクションキーにほぼ隣接して配設されていること」及び「キーボードは最上列キーおよび最下列キーを含み、その最上列キーが液晶表示部を設けているフタの下縁にほぼ隣接して位置させられて、本体上に配置されていること」が示されている。 
　
　第１３０頁左下図には、「フタは、閉じ位置では、キーボードとアームレストとをカバーするものであること」が示されている。
　
　第１３１頁下図には、「キーボードの最下列キーに隣接して、キーボードよりも手前の部分がアームレストになっていること」、「アームレストの一部にマイクロカセットドライブ等が配設されていること」、「本体の上面の殆どはキーボードおよびアームレストによって占められていること」が示されている。
　
　以上の記載によれば、刊行物１には、次の発明（以下、「刊行物１記載発明」という。）が記載されている。
　
「ハンドヘルドコンピュータであって、
　本体と、
　液晶表示部を有するフタにして、結合手段によって前記本体の一方の端部近くに回動可能に結合されており、液晶表示部はその下縁がファンクションキーにほぼ隣接して配設されているフタと、
　ハンドヘルドコンピュータのキーボードは、最上列キーおよび最下列キーを含むキーボードにして、その最上列キーが液晶表示部を設けているフタの下縁にほぼ隣接して位置させられて、前記本体上に配置されたキーボードと、
　前記キーボードの前記最下列キーに隣接して、キーボードよりも手前の部分に前記本体上に位置されたアームレストとを備え、前記アームレストの一部に、マイクロカセットドライブ等が配設され、
　ハンドヘルドというとキーボードの手前部分がなく手首が浮いた状態になり、長時間の使用には耐えないものがあったが、このアームレストの効果は絶大であり、
　前記フタは、閉じ位置では、前記キーボードと前記アームレストとをカバーするものであり、前記本体の上面の殆どは前記キーボードおよび前記アームレストによって占められていることを特徴とするハンドヘルドコンピュータ。」
　
（ｉｉ）同じく、原査定の拒絶の理由に引用された特開昭６２−１６５２３３号公報（昭和６２年７月２１日出願公開。以下、「刊行物２」という。）には、図面と共に以下の事項が記載されている。
　
「（１）表示装置に文字，数字，図形等のデータを送出するキーを有するキーボード本体を備えたキー入力装置において、キーボード本体にＸＹ座標上の任意の方向に回動又は移動する操作手段を設けるとともに、上記操作手段の操作量を検出する操作量検出手段と、当該操作量検出手段の出力にもとづき表示装置に表示されたカーソルの位置を制御するカーソル制御手段を備えたことを特徴とするキー入力装置。」（第１頁左下欄第５行ないし第１３行。） 
　
「［産業上の利用分野］
　この発明は、電子計算機、端末、ワークステーション等の各処理装置において用いられる入力装置に関するものである。」（第１頁右下欄第１行ないし第４行。）
　
「この発明におけるキー入力装置は、キーボードによる文字，数字等の入力作業の手の位置のまま、表示装置の画面上のカーソルをキーボード本体上の操作手段を操作することによりコントロールする。」（第２頁右上欄第６行ないし１０行。）
　
「５ａ，５ｂ及び９ａ，９ｂはポインティングデバイスとして用いられるトラックボールとクリック用のボタンであり、それぞれ各分離キーボード本体３ａ，３ｂ上の操作者の各親指に対応する位置に設けられている。ここで、上記トラックボール５ａ，５ｂは本願の操作手段を構成するもので、それぞれ同図（ｂ）に示すように、各分離キーボード本体３ａ，３ｂに設けられた凹部に回動自在で、その一部ｌがキーボード本体の表面Ｐより突出し、親指等を用いてＸＹ座標上の任意の方向に回動自在となっている。なお、ボタン９ａ、９ｂは従来例のマウスのボタン９と同様に、ＣＲＴ上に表示されている位置データを得るタイミングを与える機能を有するものである。」（第２頁右上欄末行ないし左下欄第１３行）
　
「次に動作について説明する。ＣＲＴ表示装置１の画面に現れたカーソル２は２個の分離されたキーボード本体３ａ，３ｂ上のトラックボール５ａ，５ｂのいずれかを操作することによってコントロールされるもので、例えば分離キーボード本体３ａ上のトラックボール５ａを右手の親指で動かせば、操作量検出手段６ａがトラックボール５ａの操作量を検出し、カーソル制御手段７を制御するので、トラックボール５ａの操作量に対応してカーソル２が動く。そして、カーソル２が所定の位置に達したら、親指のみをトラックボール５ａからボタン９ａに移動して、このボタン９ａを押すと、その位置が意味する次のプログラムが駆動される。また、手はそのままの状態で分離キーボード本体３ａ，３ｂ上についている数字，文字等のキー４ａ，４ｂを押せば従来のキーボード本体と同様それらの情報を入力することができる。
同様に、分離キーボード３ｂ上のトラックボール５ｂを左手の親指で動かすことにより、カーソル２の移動が可能となる。
　従って、分離したキーボード本体３ａ，３ｂから手を離すことなく、カーソル２を移動させ、文字，数字等を入力することができる。」（第２頁右下欄第１行ないし第３頁左上欄第３行）
　
第１図（ａ）には、キーボードの最下列のキーに隣接して、キーボードよりもユーザ寄りの部分に、トラックボール５ａ，５ｂ、ボタン９ａ，９ｂが配置されていることが示されている。
　 
（ｉｉｉ）同じく、原査定の拒絶の理由に引用された特開平２−２２８７２４号公報（平成２年９月１１日出願公開。以下、「刊行物３」という。）には、図面と共に以下の事項が記載されている。
　
「［作用］
　キーボードのホームポジション位置に手を位置した時の親指の可動範囲に設けられたデジタイザ上を親指を動かすことにより座標を指示し、前記指示された座標から方向速度検出手段によって、移動方向と速度を検出する。前記検出された移動速度と方向から、カーソル移動手段によって、ディスプレイ上のカーソルを移動する。よって、キーボードのホームポジションに手を位置したままで、操作者は座標指示を行える。
［実施例］
　第１図は本発明一実施例の座標指示装置のブロック図である。第１図中、１，２はキーボードのキー、４はデジタイザベクトル指示装置、５はデジタイザＣＲＴ座標変換装置、６はＣＲＴ、７はデジタイザ、８はキーボード、９はホームポジションに位置した右手である。第２図は、デジタイザ７，デジタイザベクトル指示装置４，デジタイザＣＲＴ座標変換装置５，ＣＲＴ６の説明図である。デジタイザ７とデジタイザベクトル指示装置４はキーボード１に設けるものとする。デジタイザＣＲＴ座標変換装置５は図示していない情報処理装置に設けるものとする。 
　以下、図面に従って、本発明の一実施例を説明する。 
　キー１のホームポジション上に位置した右手９の親指が可動する範囲にデジタイザと親指が接触する接触部（第２図７１）を設け、前記接触部７１は手をホームポジションに位置した状態で、親指を動かせる範囲の広さである。通常、ＱＷＥＲＴＹキーボードに設ける場合は、スペースキーの操作者から見て手前に設け、横幅は親指の長さの２倍、縦幅は親指の長さ，又は，横１０ｃｍ，縦５ｃｍの長方形にし、キーボード８の中間に設ける。
　以下、座標入力の具体的な動作例を説明する。
　ＣＲＴ６にカーソル６１が表示されたとすると、従来では、操作者はマウス等のポインティングデバイスによって座標を入力するが、本実施例では接触部７１を親指でなぞることによって座標を入力する。
　接触部７１に接触している親指の位置はデジタイザ７の制御回路７２によって、デジタイザベクトル指示装置４のレジスタ４１に接触部７１の座標として入力される。
　前記レジスタ４１に記憶された座標（Ｘ，Ｙ）はサンプリング・クロック発生回路４５によって、レジスタ４２に入力される。前記レジスタ４２の値は、次のクロックで転送制御回路４３を経て、レジスタ４４に入力される。
　接触部７１上を親指が移動しているとすれば、レジスタ４２には、サンプリング・クロック発生回路のクロック発信時間に合わせて、異なる接触部７１上の異なる座標（Ｘ’，Ｙ’）が入力される。
　次いで、比較回路４９は、前記レジスタ４４に記憶されている座標（Ｘ，Ｙ）からレジスタ４２に記憶されているの座標（Ｘ’，Ｙ’）を減算し、ベクトル（ΔＸ，ΔＹ）を求める。前記ベクトル（ΔＸ，ΔＹ）はｌクロックに親指が接触部７１上を移動した距離である。
　前記ベクトル（ΔＸ，ΔＹ）は、デジタイザＣＲＴ座標変換装置５内の変換回路５１に入力され、ＣＲＴ画面の形、大きさに応じて変換される。前記座標変換は（ΔＰＸ，ΔＰＹ）＝（αΔＸ＋γ，βΔＹ十ε）で与えられる。α、β、γ、εは接触部７１の大きさ、形によって決定される。次いで、前記ベクトル（ΔＰＸ，ΔＰＹ）は、レジスタ５３に入力される。レジスタ５２に記憶されている現在ＣＲＴ上に表示されているカーソルの座標（ＰＸ，ＰＹ）と前記ベクトル（ΔＰＸ、ΔＰＹ）は、演算回路５５によって加算され、レジスタ５４に（ＰＸ’，ＰＹ’）として格納される。前記座標（ＰＸ’，ＰＹ’）はＣＲＴ６の画面上に表示される。」（第２頁右上欄第１１行ないし第３頁右上欄第４行。） 
　
　第１図には、キーボード８のキー１の最下列キーに隣接して、キー１よりもユーザ寄りに位置された、ユーザーの手のひらを支えるに十分な程度の大きさのスペース部分を有し、このスペース部分にデジタイザ７が配置され、このスペース部分は障害物のないほぼ平らな面で構成され、その幅全体にわたり且つその前後の奥行きの全体にわたり平らな面であること、及び、デジタイザ７はそのスペース部分の左右中央付近でキー１の最下列キーに隣接して位置させられていることが示されている。
　
（ｉｖ）同じく、原査定の拒絶の理由に引用された実願昭６０−９８１３９号（実開昭６２−５３４０号）のマイクロフィルム（昭和６２年１月１３日出願公開。以下、「刊行物４」という。）には、図面と共に以下の事項が記載されている。
　
「第１図の如く、本体１１の内部にはキーボード１２が設置されている。また、上記本体１１には蓋体１３が、左右一対のヒンジ部材１４を介して連結され、これによって蓋体１３は本体１１に対し開閉自在となっている。蓋体１３の内面には表示部１５が設けられ、第１図の如く蓋体１３を開き、必要に応じて上記表示部５を目視しながらキーボード１２をキー操作できるようになっている。」（明細書第４頁第５行ないし第１２行）、 
　
「そこで、この電子機器を使用するときには、第３図の如く蓋体１３を開放してキーボード１２を前傾させた後、蓋体１３をヒンジ部材１４に対して回動させ、表示部１５を目視し易い角度に傾けるようにすればよい。」（明細書第７頁第５行ないし第９行。） 
　
　第１図には、表示部１５は、その下縁がヒンジ部材１４にほぼ隣接して配設され、キーボード１２の最上列キーが表示部１５の下縁にほぼ隣接して位置させられている位置関係が示されている。
　
　第２図には、表示部分を備えた蓋体１３の閉じ位置では、本体１１の手前の縁と蓋体１３の縁とは相互に並んでいることが示されている。
　
（ｖ）同じく、原査定の拒絶の理由に引用された特開平２−１１２０１０号公報（平成２年４月２４日出願公開。以下、「刊行物５」という。）には、図面と共に以下の事項が記載されている。
　
「［従来の技術］
　従来携帯型のワードプロセッサやパーソナルコンピュータ等の電子機器では、より携帯性を高めると同時に表示器を保護することなどを目的として、第４図に示すようないわゆる折り畳み式のケース構造が採用されている。 
　即ち、この場合ケースは下ケース１０１と上ケース１０３から成る。下ケース１０１にはキーボード１０２が収納される。又上ケース１０３には表示器１０４が収納される。更に電子機器全体を制御する図示していない制御回路や電源等の他の構成部材が下ケース１０１又は上ケース１０３に収納される。 
　下ケース１０１と上ケース１０３はヒンジ１０８により互いに対して矢印ａ，ｂ方向に回動可能に結合されている。即ち上ケース１０３は下ケース１０１に対して下ケース１０１上に折り畳むように重ねるか、あるいは図示のように立てられるように回動可能に設けられている。又上ケース１０３を図示のように下ケース１０１上に立てるように回動させた状態で、上ケース１０３を例えば図示した所定角度乃至は任意の角度で係止する不図示の係止構造が設けられている。 
　そしてこの電子機器の使用時には下ケース１０１を電子機器の載置面に載置し、上ケース１０３を下ケース１０１上で回動させて図示のように立てた状態で電子機器が使用される。又この電子機器の保管時ないしは携帯時には図示の状態から上ケース１０３を下ケース１０１上に折り畳むようにｂ方向に回動させる。この際に上ケース１０３に設けられた爪１０５が下ケース１０１に形成された開口部１０７に嵌入、係合し、上ケース１０３が下ケース１０１に係止されるようになっている。この状態で電子機器を安全に携帯することができる。」（第１頁右下欄第７頁ないし第２頁右上欄第１行の記載。）
　
　第４図には、表示器１０４は、その下縁がヒンジ１０８にほぼ隣接して配設され、キーボード１０２の最上列キーが表示器１０４の下縁にほぼ隣接して位置させられていることが示されている。
　
（ｖｉ）同じく、原査定の拒絶の理由に引用された引用された実願平１−１９８０７号（実開平２−１１１８３８号）のマイクロフィルム（平成２年９月６日出願公開。以下、「刊行物６」という。）には、図面と共に以下の事項が記載されている。
　
「トラックボール入力装置２は、キーボード上のトラックボール４を回転させてキーボードに接続しているパソコン等のディスプレイ（図示せず）上のカーソルを移動して任意の位置を指定し、キー５により位置情報を入力する装置である。」（明細書第３頁第１０行ないし第１４行の記載。）
　
　第１図には、「３つのキー５がトラックボール４の近傍、操作者からみて向こう側に配置されている構成」が開示されている。
　
（ｖｉｉ）同じく、原査定の拒絶の理由に引用された実願昭６３−７０８５７号（実開平１−１７５３３０号公報参照）のマイクロフィルム（平成１年１２月１３日出願公開。以下、「刊行物７」という。）には、図面と共に以下の事項が記載されている。
　
「一方、タブハウジング１１内部には本体底面に沿って複数個のスイッチ群５１，５２が配設されており、一群のスイッチ群５１はスイッチパネル１３の外部から押ボタン３３によって操作可能となっており、他の一群５２は第２図に示すようにジョイスティック３０の球形基部３１の下方に設けられたスイッチ作用板３２によって操作されるよう配置されている。そしてこのスイッチ操作板３２によって操作されるスイッチ群５２は複数座標成分の検出部を構成しており、他のスイッチ群５１はその他の検出部を構成している。本実施例では、スイッチ作用板３２によって操作されるスイッチ群５２のスイッチは４個配設されており、相向かうスイッチを結ぶ線は互いに直行している。」（明細書第６頁第１３行ないし第７頁第７行）
　
　第１図、第３図、第７図、第８図には、「４つの押しボタン（３３）がトラックボール（２０）の近傍、手前側にある構成」、「押しボタン（３３）の下部にスイッチ群（５１）が設けられている構成」が示されている。 
　
（ｖｉｉｉ）同じく、原査定の拒絶の理由に引用された実願昭５９−１３８６５７号（実開昭６１−５５７２８号）のマイクロフィルム（昭和６１年４月１５日出願公開。以下、「刊行物８」という。）には、図面と共に以下の事項が記載されている。
　
「このような従来のキーボードには、第８図に示すように手前側の上面スペースが１０〜５０ｍｍ程度の小形のものと、第９図に示すように手前側の上面スペースが５０〜８０ｍｍ程度あって操作者（オペレータ）が手を載せて操作することのできる大形のものとがある。」（明細書第３頁第２行ないし第７行。）
　
「また、第９図に示すような大形のキーボードは、操作者が本体上面１ａの手前側スペース部をパームレスト部として利用して、そこに手の平を載せて操作することができるので、長時間使用しても手の疲れが少ないが、大形になるため大きなスペースを必要とし、狭い机上には置けなかつたり、膝の上に載せて操作する場合などにはかえつて操作しにくくなるという問題点があつた。
　また、充分に手の平を置けるようにするには、例えば西独のＤＩＮ規格ではパームレスト部が１１０ｍｍ前後あることが望ましいとされているように、かなり大きな寸法が必要であるが、実際には上述のような問題があるためあまり大きくできず、中途半端なものが多かった。」（明細書第３頁第１５行ないし第４頁第６行。）
　
第９図には、キーボード１本体上面手前側の部分１ａは、キー２の最下列キーに隣接し、操作者寄りの部分であるパームレスト部であって、このパームレスト部は前後に５０〜８０ｍｍの長さを有し、障害物のないほぼ平らな面で構成され、その幅全体にわたり且つその前後の奥行きの全体にわたり平らな面であることが示されている。
　
（３）対比
　本願発明と刊行物１記載発明とを対比すると、刊行物１記載発明の「ハンドヘルドコンピュータ」、「本体」、「フタ」及び「液晶表示部」は、本願発明の「ラップトップパーソナルコンピュータ」、「主ハウジング」、「表示装置ハウジング」及び「表示画面」にそれぞれ相当する。
　そして、刊行物１記載発明の「アームレスト」は、「キーボードの最下列キーに隣接して、キーボードよりも手前の部分に本体上に位置され」、「ハンドヘルドというとキーボードの手前部分がなく手首が浮いた状態になり、長時間の使用には耐えないものがあったが、このアームレストの効果は絶大」であるから、本願発明のキーボードの最下列キーに隣接して主ハウジング上に位置された、ユーザーの手のひらを支えるに十分な大きさである「手のひら支え部分」に相当する。
　よって、刊行物１記載発明と本願発明とは、以下の一致点、相違点を有している。
　
［一致点］
「ラップトップパーソナルコンピュータであって、 
　主ハウジングと、 
　表示画面を有する表示装置ハウジングにして、結合手段によって前記主ハウジングの一方の端部近くに回動可能に結合されている、表示装置ハウジングと、 
　ラップトップパーソナルコンピュータに対するデータの入力用の、少なくとも最上列キーおよび最下列キーを含むキーボードにして、その最上列キーがデータを表示する前記表示画面を設けている表示装置ハウジングの前記下縁にほぼ隣接して位置させられて、前記主ハウジング上に配置されたキーボードと、 
　前記キーボードの前記最下列キーに隣接して、通常の使用状態において前記キーボードよりもユーザー寄りに前記主ハウジング上に位置された、ユーザーの手のひらを支えるに十分な大きさである手のひら支え部分とを備え、 
　前記表示装置ハウジングは、閉じ位置では、前記キーボードと前記手のひら支え部分とをカバーするものであることを特徴とするラップトップパーソナルコンピュータ。」 
 　 
［相違点１］ 
　本願発明においては、「表示画面は、その下縁が結合手段にほぼ隣接して配設され」、キーボードの「最上列キーがデータを表示する表示画面の下縁にほぼ隣接して位置させられている」のに対して、
　刊行物１記載発明においては、表示画面はそのように隣接して配設されておらず、最上列キーがそのように隣接して位置させられていない点。
　
［相違点２］
「手のひら支え部分」が、
　本願発明においては、「障害物のないほぼ平らな面を構成」し、「ユーザ寄りから最下列キーの方へと前後に少なくとも６５ｍｍの長さを有し」、「その幅の全体にわたり且つその前後の奥行きの全体にわたり平らな面」とされているのに対し、
　刊行物１記載発明においては、一部にマイクロカセットドライブ等が配設され、前後の長さが特定されていない点。
　
［相違点３］
　本願発明の「ラップトップパーソナルコンピューター」は、
「カーソルの移動を、同時に二方向において制御することができるカーソル制御装置にして、前記表示画面上でカーソルを移動させる１つのカーソル位置決め装置を含み、且つ、前記表示画面上に表示されている対象物を、それにカーソルを位置させた状態で選択するためのスイッチ手段を含み、さらに、前記スイッチ手段の起動用であって前記手のひら支え部分に位置した、第１ボタン及び第２ボタンの２つのボタン手段を含んでいるカーソル制御装置と
を備え、
　前記カーソル制御装置は、前記手のひら支え部分に一体的にその左右中央付近で前記キーボードの前記最下列キーに隣接して位置させられていて、左手および右手を前記手のひら支え部分の対応する左側部分および右側部分でそれぞれ支持させたユーザが当該左手および右手の何れからも操作可能であるように配置されており、
　前記カーソル位置決め装置と前記第１ボタン及び第２ボタンは、前記手のひら支え部分にあって、上記キーボードとの位置関係も含めて次の位置関係に配置をされている、すなわち、（ａ）カーソル操作を両手で行う場合には、ユーザの両手を前記手のひら支え部分に載せ且つ上記キーボードのホームポジションキー上に両手の親指以外の指を置いたままで、一方の親指を使って上記カーソル位置決め装置を制御して上記表示画面上に表示された画像上で上記移動自在なカーソルを位置づけつつ、他方の親指で上記第１ボタンを操作することができる位置関係に、且つ、（ｂ）カーソル操作を片手で行う場合には、他方の手の親指以外の指はそれのホームポジションキー上においたままで、上記片手は、前記手のひら支え部分の左側部分および右側部分の対応する一方で支持させつつ、上記カーソル位置決め装置の付近に、上記ホームポジションキーから指を離して置き、その上記片手の第１の指を使って、上記カーソル位置決め装置を制御して上記表示画面上に表示された画像上で上記移動自在なカーソルを位置づけつつ、上記片手の第２の指を使って上記第２ボタンを操作することができる位置関係に、配置をされ」ているのに対して、
　刊行物１記載発明では、そのようなカーソル制御装置を備えていない点。
　
［相違点４］
　本願発明では、「主ハウジングの上面は表示装置ハウジングの背後には殆ど延在しておらず、表示装置ハウジングの閉じ位置では、主ハウジングの手前の縁と表示装置ハウジングの手前の縁とは相互に並んで」いるのに対して、
　刊行物１記載発明では、そうでない点。
　
（４）判断
　上記相違点について検討する。
［相違点１］について
　ラップトップパーソナルコンピュータ等のコンピュータの技術分野においては、表示画面、キーボード及び本体のそれぞれの大きさ及び相互の配置関係は、その操作性、機能、コンパクト性等を考慮して当業者が適宜設計するものであり、表示画面を大型化し、「表示画面は、その下縁が結合手段にほぼ隣接して配設され」、キーボードの「最上列キーが表示画面の下縁にほぼ隣接して位置させられている」ことは、刊行物１記載発明と同一技術分野に属する刊行物４や刊行物５に記載されているから、表示画面を大型化するに際し、上記刊行物４、５に記載された事項を刊行物１記載発明に採用し、［相違点１］に係る構成とすることは、当業者であれば、適宜なし得る設計事項である。
　
［相違点２］について
　刊行物３に記載の事項を本願発明の技術用語で表すと、以下の事項が公知である。
「キーボード８本体のキー１の最下列キーに隣接して、キー１よりもユーザ寄りに位置された、ユーザーの手のひらを支えるに十分な大きさでもって障害物のないほぼ平らな面で構成され、その幅全体にわたり且つその前後の奥行きの全体にわたり平らな面である手のひら支え部分を備え、この手のひら支え部分の左右中央付近でキーボードの最下列キーに隣接して位置させられた、カーソルの移動を、同時に二方向において制御することができるカーソル制御装置にして、表示画面上でカーソルを移動させる１つの縦５ｃｍのカーソル位置決め装置７を含むカーソル制御装置を備え、
　このカーソル制御装置は、キーボードのホームポジション位置に手を位置したときの親指の可動範囲に設けられているコンピュータのキーボード入力装置。」
　
　本願発明において、「手のひら支え部分」は、そこに２つのボタン手段、カーソル位置決め装置を含むカーソル制御装置を備え、「障害物のないほぼ平らな面で構成」され、「ユーザ寄りから最下列キーの方へと前後に少なくとも６５ｍｍの長さを有し」、「その幅全体にわたり且つその前後の奥行きの全体にわたり平らな面」とされているが、コンピュータのキーボード入力という技術分野において、「手のひら支え部分」が、「障害物のないほぼ平らな面で構成」され、「その幅全体にわたり且つその前後の奥行きの全体にわたり平らな面」とすることは、手のひら支え部分の機能を考慮すれば普通に考えられることであり、また、「手のひら支え部分」を「障害物のないほぼ平らな面で構成」し、「その幅全体にわたり且つその前後の奥行きの全体にわたり平らな面」とすることは、刊行物１記載発明と同一の技術分野であるコンピュータのキーボード入力という技術分野に属する刊行物３や刊行物８にも記載されているから、刊行物１記載発明において、マイクロカセットドライブ等が配設された部分を含め「手のひら支え部分」を「障害物のないほぼ平らな面で構成」されるものとし、「その幅全体にわたり且つその前後の奥行きの全体にわたり平らな面」とすることは、当業者が適宜なし得る設計事項である。 
　また、「手のひら支え部分」の前後方向の寸法は、手のひらを支えるに必要な寸法とするにあたって、その寸法を具体的にどのようなものとするかは設計的事項であり、例えば刊行物３には、カーソル位置決め装置自体の縦方向の寸法が５ｃｍあることが示されているから、刊行物３の「手のひら支え部分」は、その前後に本願発明と同程度の長さを有するものと解され、また、「手のひら支え部分」は前後に「５０〜８０ｍｍの長さ」を有することや、十分に手のひらを置けるようにするには「手のひら支え部分」が「１１０ｍｍ前後あることが望ましいこと」が、刊行物８に記載されているから、刊行物１記載発明の「手のひら支え部分」に、コンピュータのキーボード入力という刊行物１記載発明と同一技術分野に属する刊行物３、８に記載の事項を適用し、「手のひら支え部分」に「ユーザ寄りから最下列キーの方へと前後に少なくとも６５ｍｍの長さ」を持たせることは、当業者であれば適宜なし得る設計事項である。
　よって、［相違点２］について、本願発明のように構成することに格別の困難性は認められない。
　
［相違点３］について
　刊行物２に記載の事項を本願発明の技術用語で表すと、以下の事項が公知である。
「キーボードの最下列キーに隣接して、キーボードよりもユーザ寄りの部分に、カーソルの移動を同時に二方向において制御することができるカーソル制御装置にして、表示画面上でカーソルを移動させるカーソル位置決め装置と、表示画面上で表示されている対象物を、それにカーソルを位置させた状態で選択するためのボタン手段とを含むカーソル制御装置を備え、
　ボタン手段は、表示画面上に表示されている対象物を、それにカーソルを位置させた状態で選択するためのものであり、
　キーボードによる文字、数字等の入力作業の手の位置のまま、カーソル位置決め装置を操作することができ、カーソル位置決め装置を親指で動かし、親指のみをカーソル位置決め装置からボタン手段に移動して操作可能な位置に、カーソル位置決め装置とボタン手段とを配置したコンピュータのキーボード入力装置。」
　
　「手のひら支え部分」に、「カーソルの移動を、同時に二方向において制御することができるカーソル制御装置にして、表示画面上でカーソルを移動させる１つのカーソル位置決め装置を含むカーソル制御装置」を「手のひら支え部分の左右中央付近で最下列キーに隣接して位置させ」ることは、刊行物３に記載され、この刊行物３は、先に述べたようにコンピュータのキーボード入力という刊行物１記載発明と同一の技術分野に属するものであるから、刊行物１記載発明に、刊行物３に記載の事項を適用し、刊行物１記載発明の「手のひら支え部分」に一体的に「その左右中央付近でキーボードの最下列キーに隣接して位置させられ」、かつ、キーボードのホームポジション位置に手を位置したときの親指の可動範囲に、この「カーソルの移動を、同時に二方向において制御することができ、前記表示画面上でカーソルを移動させる１つのカーソル位置決め装置を含むカーソル制御装置」を備えさせることは、当業者であれば容易に想到し得たものである。
　そして、コンピュータのキーボード入力装置のカーソル制御装置において、表示画面上に表示されている対象物を、それにカーソルを位置させた状態で選択するためのボタン手段と、カーソル位置決め装置と、キーボードとの位置関係を、キーボードによる文字，数字等の入力作業の手の位置のまま、カーソル位置決め装置を操作することができ、カーソル位置決め装置を親指で動かし、親指のみをカーソル位置決め装置からボタン手段に移動して操作可能な位置に配置することは、刊行物２に記載され、同じくカーソル制御装置において、第１ボタン、第２ボタンなど２つ以上のボタン手段をカーソル位置決め装置近傍に位置するように含むことは、刊行物６、７に記載のように慣用手段であり、ボタン手段をスイッチ手段の起動用に用いることも、刊行物７に記載されているから、刊行物１記載発明に刊行物３に記載の事項を適用するに際して、これらの構成を採用し、「カーソル制御装置は、左手および右手を前記手のひら支え部分の対応する左側部分および右側部分でそれぞれ支持させたユーザが当該左手および右手の何れからも操作可能であるように配置し」、「カーソル位置決め装置と第１ボタン及び第２ボタンは、手のひら支え部分にあって、キーボードとの位置関係」も含めて、（ａ）カーソル操作を両手で行う場合には、ユーザの両手を手のひら部分に載せ且つキーボードのホームポジションキー上に両手の親指以外の指を置いたままで、一方の親指でカーソル位置決め装置を制御して表示画面上に表示された画像上で移動自在なカーソルを位置づけつつ、他方の親指で第１ボタンを操作できる位置関係に、且つ、（ｂ）カーソル操作を片手で行う場合には、他方の手の親指以外の指はそれのホームポジションキー上においたままで、上記片手は、前記手のひら支え部分の左側部分および右側部分の対応する一方で支持させつつ、上記カーソル位置決め装置の付近に、上記ホームポジションキーから指を離して置き、その上記片手の第１の指を使って、上記カーソル位置決め装置を制御して表示画面上に表示された画像上で移動自在なカーソルを位置づけつつ、上記片手の第２の指を使って上記第２ボタンを操作することができる位置関係」に配置をすることは、当業者であれば適宜なし得る設計事項である。
　よって、［相違点３］に係る構成は、刊行物１記載発明、刊行物２ないし８に記載の事項及び慣用手段に基づいて、当業者が容易に想到し得たものである。
　
［相違点４］について
　「主ハウジングの上面は表示装置ハウジングの背後には殆ど延在しておらず」という構成は、刊行物１記載発明と同一技術分野に属する刊行物４、５に記載され、「表示装置ハウジングの閉じ位置では、主ハウジングの手前の縁と表示装置ハウジングの手前の縁とは相互に並んで」いることは、同刊行物４に記載されているから、刊行物１記載発明に、刊行物４、５に記載の事項を適用し、［相違点４］に係る構成とすることは、当業者であれば適宜なし得る設計事項である。
　
　そして、本願発明のように構成したことによる効果も、刊行物１記載発明、刊行物２ないし８に記載の事項及び慣用手段から予測できる程度のものである。
　したがって、本願発明（請求項１に係る発明）は、刊行物１記載発明、刊行物２ないし８に記載の事項及び慣用手段に基づいて、当業者が容易に発明をすることができたものである。
　
ＩＩＩ．むすび
　以上のとおり、本願発明は、刊行物１記載発明、刊行物２ないし８に記載された事項及び慣用手段に基づいて、当業者が容易に発明をすることができたものであるから、特許法第２９条第２項の規定により特許を受けることができない。
　
　よって、結論のとおり審決する。